(57)【特許請求の範囲】
【請求項１】
洋風便器の後部上面に便座支持ケースが設置され、該便座支持ケースに便座が上下方向回動可能に取り付けられている便座支持構造において、
該便座支持ケースの下面には、水平断面形状がＵ字形状であり、且つ後方が開いている凸部が設けられており、該凸部の下面と、該洋風便器の上面とを当接することにより、該便座支持ケースの下面と該洋風便器上面との間に清掃用のスペースが形成されており、
該凸部内に挿通されたボルトが洋風便器のボルト挿通孔を通って下方に突出し、該ボルトにナットが締め込まれ、これにより該便座支持ケースを洋風便器に固定設置したことを特徴とする便座支持構造。
【請求項２】
請求項１において、該便座支持ケースは温水洗浄装置の洗浄ノズルを備えていることを特徴とする便座支持構造。
【請求項３】
請求項２において、該便座支持ケースに、洋風便器の便鉢の後縁部分まで延在する、前記洗浄ノズルの設置部が設けられていることを特徴とする便座支持構造。
【発明の詳細な説明】
【０００１】
【発明の属する技術分野】
本発明は洋風便器に便座を支持した便座支持構造に関するものであり、特に便座支持ケースを用いた便座支持構造に関する。さらに詳しくは、本発明は温水洗浄装置を備える場合に好適な便座支持構造に関する。
【０００２】
【従来の技術】
洋風便器に温水洗浄装置を設け、用便者の臀部に向って該温水洗浄装置の洗浄ノズルから温水を噴出させて該臀部を温水で洗浄する温水洗浄装置付き洋風便器が広く普及している。
【０００３】
この温水洗浄装置を洋風便器に設置する場合、便座ボックスと称されるケースを洋風便器後部上面に設置し、この便座ボックス内に温水洗浄装置を設置することがある。この便座ボックスに便座が上下方向回動可能に取り付けられる。
【０００４】
また、ロータンクカバーと称されるケースを設置し、このロータンクカバー内に温水洗浄装置を設置することもある。便座はこのロータンクカバーに回動可能に取り付けられる。
【０００５】
ところで、このような便座ボックスの下面と洋風便器との間に尿などの汚れが入り込むと、簡単には拭き取り除去することができず、臭気発生の原因となる。
【０００６】
そこで、この便座ボックスを上下動可能、あるいは傾転可能とし、便座ボックス下側の洋風便器上面を清掃し易くしたものが提案されている（特開平１０−１７９４５１号、同１０−２３９９５号）。
【０００７】
【発明が解決しようとする課題】
遊園地やデパートなど不特定多数の人が使用する所謂パブリックなトイレルームに上記のように可動式の便座ボックスを設置した場合、物珍しさ等の理由から便座ボックスが動かされ、故障し易い。
【０００８】
本発明は、このような故障が防止され、耐久性に優れた、しかも洋風便器上面の清掃が容易な便座支持構造を提供することを目的とする。
【０００９】
【課題を解決するための手段】
本発明の便座支持構造は、洋風便器の後部上面に便座支持ケースが設置され、該便座支持ケースに便座が上下方向回動可能に取り付けられている便座支持構造において、該便座支持ケースの下面には、水平断面形状がＵ字形状であり、且つ後方が開いている凸部が設けられており、該凸部の下面と、該洋風便器の上面とを当接することにより、該便座支持ケースの下面と該洋風便器上面との間に清掃用のスペースが形成されており、該凸部内に挿通されたボルトが洋風便器のボルト挿通孔を通って下方に突出し、該ボルトにナットが締め込まれ、これにより該便座支持ケースを洋風便器に固定設置したことを特徴とするものである。
【００１０】
かかる本発明の便座支持構造にあっては、ケースが洋風便器に固定設置されており、ケースが動かないため、悪戯を受けにくい。また、ケースが固定設置されているからケースの洋風便器に対する固定も堅固であり、多少の無理な力が加えられても損傷しない。
【００１１】
このケースと洋風便器上面との間に清掃用のスペースがあいているから、尿などがケースの下側に入り込んでも容易に清掃して除去することができる。
【００１２】
本発明は、ケースに温水洗浄機能を組み込む場合に好適である。この場合、便座支持ケースに、洋風便器の便鉢の後縁部分まで延在するように洗浄ノズルの設置部を設けるのが好ましい。
【００１３】
【発明の実施の形態】
以下、図面を参照して実施の形態について説明する。第１図は実施の形態に係る便座支持構造を備えた洋風便器の斜視図、第２図は第１図において便蓋を開けた状態の斜視図、第３図は第１図において便座及び便蓋を取り外した状態を示す斜視図、第４図はケースの取付状態を示す側面図、第５図は便座ボックスの底面の斜視図である。
【００１４】
洋風便器１の最後部の上面にロータンク２が設置され、この洋風便器１の便鉢３と該ロータンク２との間の洋風便器後部上面に便座ボックス４が設置されている。この便座ボックス４に便座５及び便蓋６が上下方向回動自在に取り付けられている。
【００１５】
この便座ボックス４の下面には凸部７が設けられており、これにより洋風便器１と便座ボックス７との間にスペース８が形成されている。
【００１６】
この凸部７内に挿通されたボルト９が洋風便器１のボルト挿通孔を通って下方に突出し、該ボルト９に半球パッキン１０等を介してナット１１が締め込まれ、これにより便座ボックス４が洋風便器１に固定設置されている。
【００１７】
この便座ボックス４内には温水洗浄装置の温水タンク、洗浄ノズル１３，１４等が設置されている。この洗浄ノズル１３，１４の先端部を便鉢３に臨ませるために洗浄ノズルの設置部１２が便座ボックス４の前縁下部から斜め下方に向って延設されている。この設置部１２は平たい中空筒状であり、その中に洗浄ノズル１３，１４が配置されている。
【００１８】
この実施の形態では温水洗浄装置の操作部としてリモコン（図示略）が用いられているが、便座ボックス４から側方に張出部を突設し、この張出部にスイッチを設けてもよい。
【００１９】
前記凸部７は、水平断面形状がＵ字形状であり、後方が開いている。この凸部７の後方からボルト９をスライドさせながら該凸部７に導き入れることができる。この凸部７は便座ボックス４の底盤部と一体となっているが、別体であってもよい。
【００２０】
上記のスペース８の高さは１ｃｍ以上特に３ｃｍ以上であることが好ましい。また、スペース８の高さは１０ｃｍ以下、特に８ｃｍ以下であることが好ましい。スペース８の高さが３ｃｍ以上あれば手を差し込んで直接的に抜き清掃することができる。
【００２１】
このように構成された便座ボックス４を有した洋風便器１にあっては、便座ボックス４の下側の洋風便器１の上面に尿等の汚れが付着しても、スペース８内に清掃用具や手を差し込んで簡単に清掃除去することができる。
【００２２】
また、洗浄ノズル設置部１２を延設しているので、洗浄ノズル１３，１４を徒に長くすることなく洗浄ノズル１３，１４の先端を便鉢３に臨ませることができる。
【００２３】
上記実施の形態ではケースとして便座ボックス４を用いているが、このケースはロータンクカバーであってもよい。
第６図は参考例を示す側面図であり、洋風便器２０の後部上面にロータンクカバー２１が設置され、このロータンクカバー２１内にロータンクや、温水洗浄装置が設置されている。このロータンクカバー２１に便座２２と便蓋２３が上下方向回動可能に取り付けられている。
【００２４】
このロータンクカバー２１の前部は洋風便器２０の上面から所定高さ離隔しており、清掃用のスペース２４が形成されている。なお、ロータンクカバー２１の前縁の下部の中央からは平たい筒状の洗浄ノズル設置部２５が斜め下方に向って延設されており、この洗浄ノズル設置部２５内に温水洗浄装置の洗浄ノズルが設置されている。
【００２５】
この参考例にあっても、スペース２４を設けているので、汚れを簡単に清掃除去することができる。また、ロータンクカバー２１の固定もきわめて堅固である。このスペース２４の上下方向の寸法も１〜１０ｃｍとくに３〜８ｃｍ程度が好ましい。
【００２６】
【発明の効果】
以上の通り、本発明によると、パブリックなトイレルームに設置されても故障が防止され、耐久性に優れた、しかも洋風便器上面の清掃が容易な便座支持構造が提供される。
【図面の簡単な説明】
【図１】  実施の形態に係る便座支持構造を備えた洋風便器の斜視図である。
【図２】  第１図において便蓋を開けた状態の斜視図である。
【図３】  第１図において便座及び便蓋を取り外した状態を示す斜視図である。
【図４】  ケースの取付状態を示す側面図である。
【図５】  便座ボックスの底面の斜視図である。
【図６】  参考例に係る便座支持構造を示す側面図である。
【図１】
0004258937.tif 000002
【図２】
0004258937.tif 000003
【図３】
0004258937.tif 000004
【図４】
0004258937.tif 000005
【図５】
0004258937.tif 000006
【図６】
0004258937.tif 000007